(57)【要約】      （修正有）【課題】エスクロー決済における電子マネーの利便性を高めることのできる電子マネー用エスクロー決済システム及び電子マネー用エスクロー決済方法を提供する。【解決手段】電子マネー用エスクロー決済システムにおいて、エスクローサービスサーバ１は、取引サイトサーバ１０から取引情報１０１を受け取る取引情報取得部１１と、エスクローサービスサーバ１の第１の電子マネーの第１の口座４１に購入者２０からの入金が完了したことを認知したことに応じて、入金完了を販売者３０に通知する代金受取処理部１２と、購入者２０からの商品受取通知の受領に応じて、購入者２０から第１の口座４１に入金された第１の電子マネーのうちから支払い相当額に対応する量の第２の電子マネーを、エスクローサービスサーバ１の第２の口座から販売者３０に送金するとともに、送金完了を通知する代金受渡処理部１４とを備える。【選択図】図２
2020144924.tif 000002
【特許請求の範囲】
【請求項１】
取引におけるエスクロー決済に電子マネーを利用可能とするエスクローサービスサーバを備える電子マネー用エスクロー決済システムであって、
前記エスクローサービスサーバが、
商品の販売されている取引サイトサーバから取引情報を受け取る取引情報取得部と、
前記取引情報で支払に指定された種類と同じ種類である第１の電子マネーの流通を管理する第１の電子マネーサーバが貸している第１の口座であって、前記エスクローサービスサーバが残高を把握する前記第１の口座に前記取引情報で指定された購入者の口座から前記購入者の支払指示による入金が完了したことを認知するとともに、前記入金が完了したことを販売者に通知する代金受取処理部と、
前記第１の口座に入金した前記購入者からの商品受取通知の受領に応じて、前記購入者の口座から前記第１の口座に入金された前記第１の電子マネーのうちから支払い相当額に対応する量の第２の電子マネーであって、前記第１の電子マネーとは相違する種類として前記取引情報で販売者が受取に指定した種類である前記第２の電子マネーを、前記エスクローサービスサーバの支払指示に応じて前記エスクローサービスサーバが残高を把握する前記第２の電子マネーの第２の口座であって、前記第２の電子マネーの流通を管理する第２の電子マネーサーバが貸している前記第２の口座から前記販売者の口座に送金するとともに、前記販売者に送金完了を通知する代金受渡処理部とを備える
電子マネー用エスクロー決済システム。
【請求項２】
前記取引情報には、購入者情報と、販売者情報と、商品情報とが含まれ、
前記代金受取処理部は、前記購入者情報、前記販売者情報、及び前記商品情報に基づいて、前記第１の口座へ送金する前記第１の電子マネーの量を前記購入者に通知するとともに、前記第１の口座に入金された前記第１の電子マネーの量が適正であるか否かを判定する
請求項１に記載の電子マネー用エスクロー決済システム。
【請求項３】
前記商品の配送を管理する配送管理サーバから前記商品の出荷情報を取得することが可能であり、
前記代金受取処理部は、前記代金受取処理部から前記販売者に前記入金が完了した通知を行ってから所定期間経過後に前記配送管理サーバから前記商品の出荷情報が得られないとき、所定の返金条件の下、前記第１の口座に前記入金が完了した前記第１の電子マネーを前記購入者の口座に返金する
請求項１又は２に記載の電子マネー用エスクロー決済システム。
【請求項４】
前記商品の配送を管理する配送管理サーバから前記商品の配達情報を取得することが可能であり、
前記代金受渡処理部は、前記購入者から前記商品受取通知が受領できないとき、前記配送管理サーバからの前記配達情報に基づいて前記商品の受取が確認されてから所定期間経過後、所定の支払条件の下、前記支払い相当額に対応する量の前記第２の電子マネーを前記販売者の口座に送金する
請求項１〜３のいずれか一項に記載の電子マネー用エスクロー決済システム。
【請求項５】
前記第１の口座の残高及び前記第２の口座の残高を管理する口座管理部を備え、
前記口座管理部は、前記第１の口座及び前記第２の口座のうちで残高が設定された上限値を上回った口座について当該口座から電子マネーの払い出しをすること、及び、残高が設定された下限値を下回った口座について電子マネーを補充することの少なくとも一方の処理を行う
請求項１〜４のいずれか一項に記載の電子マネー用エスクロー決済システム。
【請求項６】
前記口座管理部は、前記払い出した電子マネーに相当する額の全部又は一部を前記払い出した電子マネーとは相違する種類の電子マネーの口座である他の口座であって、前記他の口座に設定された上限値又は下限値に対する充足率が低い前記他の口座へ補充する
請求項５に記載の電子マネー用エスクロー決済システム。
【請求項７】
前記口座管理部は、前記補充が必要な電子マネーを、前記補充が必要な電子マネーとは相違する種類の電子マネーの口座である他の口座であって、前記他の口座に設定された上限値又は下限値に対する充足率が高い前記他の口座からの送金により補充する
請求項５又は６に記載の電子マネー用エスクロー決済システム。
【請求項８】
取引におけるエスクロー決済に電子マネーを利用可能とするエスクローサービスサーバで行われる電子マネー用エスクロー決済方法であって、
商品の販売されている取引サイトサーバから取引情報を受け取る取引情報取得工程と、
前記取引情報で支払に指定された種類と同じ種類である第１の電子マネーの流通を管理する第１の電子マネーサーバが貸している第１の口座であって、前記エスクローサービスサーバが残高を把握する前記第１の口座に前記取引情報で指定された購入者の口座から前記購入者の支払指示による入金が完了したことを認知するとともに、前記入金が完了したことを販売者に通知する代金受取処理工程と、
前記第１の口座に入金した前記購入者からの商品受取通知の受領に応じて、前記購入者の口座から前記第１の口座に入金された前記第１の電子マネーのうちから支払い相当額に対応する量の第２の電子マネーであって、前記第１の電子マネーとは相違する種類として前記取引情報で販売者が受取に指定した種類である前記第２の電子マネーを、前記エスクローサービスサーバの支払指示に応じて前記エスクローサービスサーバが残高を把握する前記第２の電子マネーの第２の口座であって、前記第２の電子マネーの流通を管理する第２の電子マネーサーバが貸している前記第２の口座から前記販売者の口座に送金するとともに、前記販売者に送金完了を通知する代金受渡処理工程とを備える
電子マネー用エスクロー決済方法。
【発明の詳細な説明】
【技術分野】
【０００１】
本開示は、取引において電子マネーによるエスクロー決済を可能にする電子マネー用エスクロー決済システム、及び電子マネー用エスクロー決済方法に関する。
【背景技術】
【０００２】
ネットワークに接続された通信端末の普及に伴い、電子商取引が急速に拡大している。電子商取引は、ネットワーク上で一部あるいは全部の商取引を行なうことであって、ネットワーク上での取引すべてが対象となることから、その領域は非常に広範囲にわたっている。電子商取引には、例えば、企業と企業との間（ＢｔｏＢ：Ｂｕｓｉｎｅｓｓ  ｔｏ  Ｂｕｓｉｎｅｓｓ）の取引、企業と消費者との間（ＢｔｏＣ：Ｂｕｓｉｎｅｓｓ  ｔｏ  Ｃｏｎｓｕｍｅｒ）の取引、さらに一般の消費者の間（ＣｔｏＣ：Ｃｏｎｓｕｍｅｒ  ｔｏ  Ｃｏｎｓｕｍｅｒ）の取引を含むことができる。
【０００３】
従来、電子商取引では、代金決済と商品引渡しにおけるトラブルが発生しやすいという問題があった。具体的には、買手側では、代金を振り込んだのに商品が届かない場合や、購入時に見た写真と届いた商品とが違うというようなトラブルがあった。また、売手側では、商品を送ったのに代金が振り込まれないというトラブルがあった。そこで、例えば、こうしたトラブルを防止することのできるエスクロー決済システムの技術の一例が特許文献１に記載されている。
【０００４】
特許文献１に記載のエスクロー決済システムは、商品の売り手と買い手とからそれぞれ送信される所定の情報に基づいて、電子情報からなる仮想口座を作成する仮想口座作成部を備える。また、エスクロー決済システムは、商品の買い手の仮想口座に対する商品の代金情報を含む入金情報を受信した場合、商品の売り手に対して商品の出荷指示を送信するとともに、物流業者に対して商品の集荷指示を送信する集荷指示部を備える。また、エスクロー決済システムは、物流業者から商品の買い手に対する商品の配送完了報告を受信した場合、商品の代金情報を商品の買い手の仮想口座から商品の売り手の仮想口座に振り込む仮想口座振込部を有する。
【先行技術文献】
【特許文献】
【０００５】
【特許文献１】特開２００２−７４２１９号公報
【発明の概要】
【発明が解決しようとする課題】
【０００６】
近年、電子商取引では、現金による決済に代わって、電子マネーによる決済が少なくない。電子マネーは、インターネット等を利用した電子商取引において、現金の取り扱いに比べて扱いが簡単であるため、決済手段としての利用が広がっている。
【０００７】
ところで、通貨は通常１種類であるのに対して、電子マネーは複数種類が存在しているとともに、電子マネーの種類毎に使用方法に関して多少なりとも制約がある。種々の電子マネーが広く使用されることで電子マネーの利便性は向上する。一方、電子マネーの利用が多くなってくることに応じて、販売者としては、複数の電子マネーによる決済に対応しなければならない状況になり、購入者としては、決済に利用可能な電子マネーを準備しておかなければならない状況にもなってきている。このように、販売者及び消費者にとって、電子マネーの管理が煩雑となってきている面もあり、電子マネーの利便性の低下が懸念される。
【０００８】
本開示は、このような状況に鑑みてなされたものであり、その目的は、エスクロー決済における電子マネーの利便性を高めることのできる電子マネー用エスクロー決済システム、及び電子マネー用エスクロー決済方法を提供することにある。
【課題を解決するための手段】
【０００９】
上記課題を解決する電子マネー用エスクロー決済システムは、取引におけるエスクロー決済に電子マネーを利用可能とするエスクローサービスサーバを備える電子マネー用エスクロー決済システムであって、前記エスクローサービスサーバが、商品の販売されている取引サイトサーバから取引情報を受け取る取引情報取得部と、前記取引情報で支払に指定された種類と同じ種類である第１の電子マネーの流通を管理する第１の電子マネーサーバが貸している第１の口座であって、前記エスクローサービスサーバが残高を把握する前記第１の口座に前記取引情報で指定された購入者の口座から前記購入者の支払指示による入金が完了したことを認知するとともに、前記入金が完了したことを販売者に通知する代金受取処理部と、前記第１の口座に入金した前記購入者からの商品受取通知の受領に応じて、前記購入者の口座から前記第１の口座に入金された前記第１の電子マネーのうちから支払い相当額に対応する量の第２の電子マネーであって、前記第１の電子マネーとは相違する種類として前記取引情報で販売者が受取に指定した種類である前記第２の電子マネーを、前記エスクローサービスサーバの支払指示に応じて前記エスクローサービスサーバが残高を把握する前記第２の電子マネーの第２の口座であって、前記第２の電子マネーの流通を管理する第２の電子マネーサーバが貸している前記第２の口座から前記販売者の口座に送金するとともに、前記販売者に送金完了を通知する代金受渡処理部とを備える。
【００１０】
上記課題を解決する電子マネー用エスクロー決済方法は、取引におけるエスクロー決済に電子マネーを利用可能とするエスクローサービスサーバで行われる電子マネー用エスクロー決済方法であって、商品の販売されている取引サイトサーバから取引情報を受け取る取引情報取得工程と、前記取引情報で支払に指定された種類と同じ種類である第１の電子マネーの流通を管理する第１の電子マネーサーバが貸している第１の口座であって、前記エスクローサービスサーバが残高を把握する前記第１の口座に前記取引情報で指定された購入者の口座から前記購入者の支払指示による入金が完了したことを認知するとともに、前記入金が完了したことを販売者に通知する代金受取処理工程と、前記第１の口座に入金した前記購入者からの商品受取通知の受領に応じて、前記購入者の口座から前記第１の口座に入金された前記第１の電子マネーのうちから支払い相当額に対応する量の第２の電子マネーであって、前記第１の電子マネーとは相違する種類として前記取引情報で販売者が受取に指定した種類である前記第２の電子マネーを、前記エスクローサービスサーバの支払指示に応じて前記エスクローサービスサーバが残高を把握する前記第２の電子マネーの第２の口座であって、前記第２の電子マネーの流通を管理する第２の電子マネーサーバが貸している前記第２の口座から前記販売者の口座に送金するとともに、前記販売者に送金完了を通知する代金受渡処理工程とを備える。
【００１１】
このような構成又は方法によれば、販売者と購入者との間で相違する種類の電子マネーが決済に利用されたとしても、それら相違する電子マネーの間でエスクロー決済を行うことができる。これにより、エスクロー決済における電子マネーの利便性を高めることができる。
【００１２】
好ましい構成として、前記取引情報には、購入者情報と、販売者情報と、商品情報とが含まれ、前記代金受取処理部は、前記購入者情報、前記販売者情報、及び前記商品情報に基づいて、前記第１の口座へ送金する前記第１の電子マネーの量を前記購入者に通知するとともに、前記第１の口座に入金された前記第１の電子マネーの量が適正であるか否かを判定する。
【００１３】
このような構成によれば、購入者に、送金に必要な情報が通知されることから購入者による適正な量の電子マネーの支払いが容易になる。また、入金された電子マネーの量が適正であるかどうか判定されることから決済がスムーズになされるようになる。
【００１４】
好ましい構成として、前記商品の配送を管理する配送管理サーバから前記商品の出荷情報を取得することが可能であり、前記代金受取処理部は、前記代金受取処理部から前記販売者に前記入金が完了した通知を行ってから所定期間経過後に前記配送管理サーバから前記商品の出荷情報が得られないとき、所定の返金条件の下、前記第１の口座に前記入金が完了した前記第１の電子マネーを前記購入者の口座に返金する。
【００１５】
このような構成によれば、購入者が第１の電子マネーを支払った後であっても、販売者が商品を出荷しないとき、所定の返金条件の下、購入者の入金した種類の電子マネーが購入者に返金されるようになることから取引の安全性が確保される。
【００１６】
好ましい構成として、前記商品の配送を管理する配送管理サーバから前記商品の配達情報を取得することが可能であり、前記代金受渡処理部は、前記購入者から前記商品受取通知が受領できないとき、前記配送管理サーバからの前記配達情報に基づいて前記商品の受取が確認されてから所定期間経過後、所定の支払条件の下、前記支払い相当額に対応する量の前記第２の電子マネーを前記販売者の口座に送金する。
【００１７】
このような構成によれば、購入者が商品受取の確認を忘れたり、受取の確認を行わなかったりするような場合であっても、販売者に支払い相当額に対応する電子マネーが支払われることから取引の安全性が確保される。
【００１８】
好ましい構成として、前記第１の口座の残高及び前記第２の口座の残高を管理する口座管理部を備え、前記口座管理部は、前記第１の口座及び前記第２の口座のうちで残高が設定された上限値を上回った口座について当該口座から電子マネーの払い出しをすること、及び、残高が設定された下限値を下回った口座について電子マネーを補充することの少なくとも一方の処理を行う。
【００１９】
このような構成によれば、第１の口座及び第２の口座の残高が払い出しや補充による調整を通じて設定された上限値と下限値との間に維持されるようになることから、第１の口座及び第２の口座に保持されている資金の量を適正な量に維持することができる。また、設定された上限値や下限値になることによって一定のまとまった額による払い出しや補充が行われることで払い出しや補充にかかる回数を減らすことができるとともに、手間や手数料を低く抑えられるようになる。
【００２０】
好ましい構成として、前記口座管理部は、前記払い出した電子マネーに相当する額の全部又は一部を前記払い出した電子マネーとは相違する種類の電子マネーの口座である他の口座であって、前記他の口座に設定された上限値又は下限値に対する充足率が低い前記他の口座へ補充する。
【００２１】
好ましい構成として、前記口座管理部は、前記補充が必要な電子マネーを、前記補充が必要な電子マネーとは相違する種類の電子マネーの口座である他の口座であって、前記他の口座に設定された上限値又は下限値に対する充足率が高い前記他の口座からの送金により補充する。
【００２２】
このような構成によれば、エスクローサービスサーバによって管理される複数の口座内において残高の高い口座から、残高の低い口座に資金が移動されることから外部に対する入出金を減らすことができるため資金管理の利便性が高い。
【発明の効果】
【００２３】
本開示によれば、エスクロー決済における電子マネーの利便性を高めることができる。
【図面の簡単な説明】
【００２４】
【図１】電子マネー用エスクロー決済システム、及び電子マネー用エスクロー決済方法の一実施形態を示すブロック図。
【図２】本実施形態の構成を示すブロック図。
【図３】本実施形態の処理手順を示すシーケンス図。
【図４】本実施形態の処理手順を示すシーケンス図。
【図５】本実施形態の処理手順を示すシーケンス図。
【図６】本実施形態の処理手順を示すシーケンス図。
【発明を実施するための形態】
【００２５】
以下、本実施形態を図１〜図６に基づいて説明する。本実施形態においては、複数の電子マネーによるエスクロー決済を可能にする電子マネー用エスクロー決済システム、及び電子マネー用エスクロー決済方法について説明する。
【００２６】
ここで、電子マネーとは、デジタルデータによって表現された金銭的価値（以下、単に価値と記載する）をいう。複数の種類の電子マネーが存在しており、それぞれの種類の電子マネーの使用方法は、種類毎に多少の相違がある（少なからず制約がある）。例えば、ある１つの電子マネーは、その電子マネーを取り扱うことができるように調整された所定の決済システムにおいて利用可能である。そのため、通常、ある１つの電子マネーは、それとは異なる他の電子マネーを取り扱うように調整された決済システムにおいて利用することができない。電子マネーサービスの例として、「ＬＩＮＥ  Ｐａｙ」（登録商標）、「Ｙａｈｏｏ！（登録商標）マネー」等がある。
【００２７】
電子マネーの利用者は、円、ドル等の通貨を電子マネーに変換し、その変換した電子マネーを利用して商品やサービスを購入することが可能である。ここでいう商品は、実体のある物品や、データファイル、アプリケーションプログラム等のデジタルコンテンツを含んでもよい。
【００２８】
電子マネーの単位は、通貨単位と異なる独自の単位であってもよいが、通貨と同じ単位であってもよい。また、企業が独自に発行するポイントプログラムであって、企業ポイントとも言われる企業通貨や、仮想通貨等も電子マネーに含まれてもよい。また、電子マネーは、ＩＣカードに情報を書き込みクレジットカードのように利用する形態（ＩＣカード型）や、インターネット上でデータとして流通する形態（ネットワーク型）、プリペイドカード型を含んでもよい。このとき、電子マネーを保持している口座は、通常、電子マネーを発行した団体・企業等の管理下にあるが、その口座が、ＩＣカードに配置されていたり、サーバに配置されていたり、携帯端末に配置されていたり、又は配置箇所がそれらの組み合わせから構成されていたりしてもよい。ここで、口座は、管理する団体・企業がユーザの有している電子マネーの量を記憶する電子的情報を含み、各ユーザに割り当てている電子マネーの量を増減可能なかたちで記憶する。
【００２９】
図１を参照して、本実施形態におけるネットワークＮを介しての接続について説明する。ネットワークＮは、公衆通信回線でもよいし、専用通信回線でもよいし、それらの組み合わせによって構成された通信回線でもよい。ネットワークＮには、エスクローサービスサーバ１、購入者２０が操作する購入者端末２、販売者３０が操作する販売者端末３、第１の電子マネーを管理する第１電子マネーサーバ４、第２の電子マネーを管理する第２電子マネーサーバ６、配送管理サーバ８、及び取引サイトサーバ１０がそれぞれ相互通信可能に接続されている。第１の電子マネー及び第２の電子マネーは、相互に異なる種類の電子マネーである。第１の電子マネーの決済には第１の電子マネーに対応している決済システムが必要である。第２の電子マネーの決済には第２の電子マネーに対応している決済システムが必要である。
【００３０】
エスクローサービスサーバ１、購入者端末２、販売者端末３、第１電子マネーサーバ４、第２電子マネーサーバ６、配送管理サーバ８、及び取引サイトサーバ１０は、その全部又は一部がそれぞれ異なる団体、企業又は個人に所有されているとともに、管理されていてよい。
【００３１】
こうした構成により、本実施形態では、例えば、取引サイトサーバ１０で成立した購入者２０と販売者３０とによる売買取引は、エスクローサービスサーバ１を介しての物品の配送、任意の電子マネーによる代金の受け渡しにより実行される。
【００３２】
図２を参照して、エスクローサービスサーバ１、購入者端末２、販売者端末３、第１電子マネーサーバ４、第２電子マネーサーバ６、配送管理サーバ８、及び取引サイトサーバ１０について説明する。
【００３３】
取引サイトサーバ１０は、例えば、オンラインショッピングサービスやオークションサービスなどの電子商取引（ＥＣ）サービスを行う、パーソナルコンピュータやワークステーションなどのコンピュータである。取引サイトサーバ１０において行われる電子商取引は一般的で周知なものを想定し、説明を省略する。取引サイトサーバ１０は、サイト中で行われる商取引に利用される情報として、取引情報１０１を有している。取引情報１０１は、購入者情報１０２、販売者情報１０３、商品情報１０４、及び取引ＩＤ番号を含んでいる。取引サイトサーバ１０は、配送及び決済の方法の１つとしてエスクロー決済の選択に対応した処理を行うエスクロー決済部１１０を備えている。エスクロー決済部１１０は、配送及び決済の方法としてエスクロー決済が選択されたとき、エスクローサービスサーバ１に取引情報１０１を送信する。取引サイトサーバ１０は、配送及び決済の方法として、エスクロー決済以外の方法を有していて、エスクロー決済以外の方法が選択されてもよい。
【００３４】
購入者端末２は、商品の購入者２０が操作する、たとえば携帯電話やスマートフォン、タブレットコンピュータ、パーソナルコンピュータ等のコンピュータである。購入者２０は、購入者端末２を操作して取引サイトサーバ１０にアクセスし、販売者３０が販売している商品の確認と購入を行うことや、その他、取引サイトサーバ１０における電子商取引に関する各種の操作を行うことができる。また、購入者２０は購入者端末２を操作して、エスクローサービスに関する情報をエスクローサービスサーバ１との間でやりとりする。また、購入者２０は購入者端末２の操作を通じて、購入者２０に割り当てられている購入者口座５を操作したり、取引に利用することを希望している第１の電子マネーで商品の購入代金を支払う。
【００３５】
購入者端末２には、エスクローサービスアプリケーション（ＥＳＡｐｐ）９が設けられて（インストールされて）いる。ＥＳＡｐｐ９は、エスクローサービスサーバ１との間での情報の授受を容易にするアプリケーションである。ＥＳＡｐｐ９は、購入者２０がエスクローサービスサーバ１に通知しなければならない情報を購入者２０に入力させたり、購入者端末２から収集したりして生成して、エスクローサービスサーバ１に通知する。また、ＥＳＡｐｐ９は、購入者２０が購入者端末２を利用して行った取引に関する情報を保持していてもよい。
【００３６】
販売者端末３は、販売者３０が操作する、たとえば携帯電話やスマートフォン、タブレットコンピュータ、パーソナルコンピュータ等のコンピュータである。販売者３０は、販売者端末３を操作して取引サイトサーバ１０にアクセスし、購入者２０からの注文を確認することや、その他、取引サイトサーバ１０における電子商取引に関する各種の操作を行うことができる。また、販売者３０は販売者端末３を操作して、エスクローサービスに関する情報をエスクローサービスサーバ１との間でやりとりする。また、販売者３０は販売者端末３の操作を通じて、販売者３０に割り当てられている販売者口座７を操作したり、取引に利用することを希望している第２の電子マネーで商品の購入代金を受け取ったことを確認することができる。
【００３７】
第１電子マネーサーバ４は、第１の電子マネーの流通を管理するサーバである。第１電子マネーサーバ４は、第１の電子マネーを取り扱える口座を維持管理するものであり、口座をユーザに貸し出している。第１電子マネーサーバ４は、貸し出し口座として、購入者２０の名義であって、購入者２０が電子マネーの出入りを管理する購入者口座５と、エスクローサービスサーバ１を管理する者の名義であって、エスクローサービスサーバ１が残高を把握する第１の口座４１とを有している。
【００３８】
第２電子マネーサーバ６は、第１の電子マネーとは種類が相違する電子マネーである第２の電子マネーの流通を管理するサーバである。第２電子マネーサーバ６は、第２の電子マネーを取り扱える口座を維持管理するものであり、口座をユーザに貸し出している。第２電子マネーサーバ６は、貸し出し口座として、販売者３０の名義であって、販売者３０が電子マネーの出入りを管理する販売者口座７と、エスクローサービスサーバ１を管理する者の名義であって、エスクローサービスサーバ１が残高を把握する第２の口座６１とを有している。
【００３９】
第１及び第２電子マネーサーバ４，６は、いずれも電子マネーサービスを行う、パーソナルコンピュータやワークステーション等のコンピュータである。第１及び第２電子マネーサーバ４，６としてはそれぞれ種類の相違する電子マネーの流通を管理するが、周知で一般的な電子マネーサービスを可能とするものを想定している。すなわち、図示しないが、電子マネーサーバは、電子マネーの利用者間の取引情報を取得する取引情報取得手段や、電子マネーの購入や現金に戻す際（現金化）に金融機関システムとの決済を行う決済手段や、電子マネーの各種の取引や処理を実行する取引実行手段を備えて構成されている。そして、各利用者に紐付けられている電子マネーの量が口座に記憶されている。また、電子マネーサーバは、電子マネーウォレットに格納された電子マネーの履歴情報を検索する履歴情報検索手段や、検索された履歴情報を利用者の求めに応じて通知する履歴情報通知手段や、履歴情報を半永久的に保全する履歴情報保全手段等を備えて構成されていてもよい。
【００４０】
配送管理サーバ８は、商品の配送に関するサービスを行う、パーソナルコンピュータやワークステーション等のコンピュータである。配送管理サーバ８は、エスクローサービスサーバ１から取引情報１０１を受信することにより、購入者情報１０２、販売者情報１０３、商品情報１０４等を取引ＩＤ番号とともに知ることができる。配送管理サーバ８は、取引ＩＤ番号等を基にして、販売者３０の商品の出荷状態を出荷情報に関連付け、購入者２０への商品の配達状態を配達情報に関連付ける。また、配送管理サーバ８は、中立な第三者として、取引ＩＤ番号に基づいて、販売者３０が商品を出荷したことや、購入者２０が商品を受領したこと（配送完了通知）をエスクローサービスサーバ１にネットワークＮを介して送信する。
【００４１】
エスクローサービスサーバ１は、エスクローサービスに関する処理を行う、パーソナルコンピュータやワークステーション等のコンピュータである。エスクローサービスサーバ１は、取引サイトサーバ１０から取引情報１０１を受信すると、取引ＩＤ番号の取引に関して、購入者２０の支払いと販売者３０の出荷に関する処理と、購入者２０の商品受取と販売者３０への代金送金とに関する処理とを行う。
【００４２】
エスクローサービスサーバ１は、エスクロー決済部１１０から取引情報１０１を取得して取引情報保持部１７に保持する取引情報取得部１１と、購入者端末２との間で代金受取処理を行う代金受取処理部１２とを備える。また、エスクローサービスサーバ１は、種類の違う第１の電子マネーの価値や、第２の電子マネーの価値を相互に換算したり、通貨に換算したりすることのできる電子マネー仲介部１３を備える。また、エスクローサービスサーバ１は、送金条件が成立することに応じて第２の口座６１から販売者口座７に第２の電子マネーを送金する代金受渡処理部１４を備える。また、エスクローサービスサーバ１は、配送管理サーバ８から取得した情報に基づいて商品の配送を監視する配送監視部１５と、第１の口座４１の残高及び第２の口座６１の残高をそれぞれ管理する口座管理部１６とを備える。
【００４３】
続いて、図３〜図６を参照して、本実施形態におけるエスクロー決済システムを利用した取引の一例について説明する。
図３は、取引の第１段階として、取引サイトサーバ１０で成立した取引に対してエスクロー決済を選択し、取引情報を連携するまでを示すシーケンス図である。
【００４４】
まず、販売者３０が販売者端末３を操作して、取引サイトサーバ１０に販売する商品を出品する（図３のステップＳ３１）。このとき、販売者３０は、当該商品はエスクロー決済によってのみ購入が可能、又はエスクロー決済が選択可能である旨を併せて取引サイトサーバ１０に登録する。これにより、取引サイトサーバ１０で出品された商品を購入者２０がエスクロー決済を選択して購入することが可能な状態になる。
【００４５】
なお、販売者３０は、予め販売者情報１０３を登録することで取引サイトサーバ１０に商品を出品することが許可される。また、販売者３０は、商品を出品するとき、出品する商品のそれぞれに商品情報１０４を登録する。販売者情報１０３には、販売者が決済に利用する種類の電子マネーが「第２の電子マネー」であること、第２電子マネーサーバ６に「販売者口座７」を有していることが含まれている。すなわち、販売者３０は、エスクローサービスサーバ１で決済可能な複数の電子マネーのうちから第２の電子マネーを決済用に選択している。また、販売者情報１０３には、販売者３０の住所、氏名、会社名、電話番号、メールアドレス等が含まれている。商品情報１０４には、商品の種別、品名、名称、大きさ、重さ等の情報が含まれている。また、商品情報１０４には、購入に関する情報として、購入数、購入価格、配送料、配送日時等が含まれている。
【００４６】
また、購入者２０が購入者端末２を操作して、取引サイトサーバ１０で販売されている商品を購入するとともに、決済方法としてエスクロー決済を選択する（図３のステップＳ３２）。これにより、購入者２０が、取引サイトサーバ１０に出品された商品の購入を決定して、購入に関する手続が進む状態になる。
【００４７】
なお、購入者２０は、購入者情報１０２を登録することで取引サイトサーバ１０の商品を購入することができる。購入者情報１０２には、購入者２０が決済に利用する種類の電子マネーが「第１の電子マネー」であること、第１電子マネーサーバ４に「購入者口座５」を有していることが含まれている。すなわち、購入者２０は、エスクローサービスサーバ１で決済可能な複数の電子マネーのうちから第１の電子マネーを決済用に選択している。また、購入者情報１０２には、購入者２０の住所、氏名、会社名、電話番号、メールアドレス、商品の送り先等が含まれている。
【００４８】
購入者端末２による操作で、購入者２０による商品購入が決定されると、取引サイトサーバ１０は、購入者情報１０２、販売者情報１０３、商品情報１０４、及び取引ＩＤ番号とから取引情報１０１を作成する。そして、作成した取引情報１０１をエスクロー決済部１１０で取引情報として登録する処理を行う（図３のステップＳ３３）。エスクロー決済部１１０は、登録された取引情報１０１をエスクローサービスサーバ１に通知することで取引情報１０１の連携を行う（図３のステップＳ３４）。そして、エスクローサービスサーバ１は、通知された取引情報１０１を取引情報取得部１１で取得し、取得した取引情報１０１に基づいてエスクローサービスを開始する（取引情報取得工程）。また、エスクローサービスサーバ１は、通知された取引情報１０１を取引情報取得部１１で取得して、少なくともエスクローサービスによる取引が完了するまでの期間、取引情報保持部１７に保持する。
【００４９】
エスクローサービスを開始する際、エスクローサービスサーバ１は、販売者端末３にエスクロー手続開始の通知を行ってもよく（図３のステップＳ３５−１）、購入者端末２にエスクロー手続開始の通知を行ってもよい（図３のステップＳ３５−２）。エスクローサービスサーバ１から購入者端末２や販売者端末３への通知は、適宜利用可能な方法が選択される。利用可能な方法は、電子メールや、取引サイトサーバ１０の通知機能や、第１電子マネーサーバ４や第２電子マネーサーバ６の通知機能等である。
【００５０】
図４は、取引の第２段階として、購入者２０が任意の電子マネーで商品の購入代金を支払う際（代金受取処理工程）のシーケンス図である。
まず、エスクロー手続が開始されると、エスクローサービスサーバ１は、購入者端末２に支払の指示を電子メール等で通知する（図４のステップＳ４１）。支払の指示には、送金先の第１の口座４１の番号や、第１の口座４１へ送金する第１の電子マネーの量が含まれている。
【００５１】
購入者端末２に支払指示が通知されると、購入者２０が購入者端末２を操作して購入者口座５から第１の口座４１への第１の電子マネーの支払操作を行う（図４のステップＳ４２）。これにより、購入者口座５から第１の口座４１に第１の電子マネーが送金される（図４のステップＳ４３）。このとき、購入者口座５と第１の口座４１とは同一の種類の第１の電子マネーの口座であることから、購入者口座５から第１の口座４１への第１の電子マネーにかかる費用や手数料は、第１の電子マネーの利用の促進を図るためなどから、通常は、無料又は比較的低額である。また、購入者端末２には、購入者口座５から第１の口座４１への電子マネーの送金が完了したことを示す送金完了通知が第１電子マネーサーバ４の購入者口座５に対応する機能から通知される（ステップＳ４３１）。これにより、購入者２０は、電子マネーの送金が完了したことを確認することができる。
【００５２】
第１の口座４１に電子マネーが入金されると、入金に関する情報を含む入金通知が第１の口座４１からエスクローサービスサーバ１へ通知される（図４のステップＳ４４）。より詳細には、入金通知は、第１電子マネーサーバ４からエスクローサービスサーバ１の第１の口座４１への入金情報の通知である。入金通知には、購入者２０の情報と支払額の情報とが含まれているとともに、取引ＩＤ番号が含まれていてもよい。エスクローサービスサーバ１は、取引情報１０１と入金情報とを照合することに基づいて、購入者２０の確認や、支払額の確認を行う（図４のステップＳ４５）。このとき、取引ＩＤ番号が含まれていれば、取引ＩＤ番号により取引情報１０１と入金情報とを照合してもよい。
【００５３】
照合によって購入者２０と支払額とが一致することが確認できた場合、エスクローサービスサーバ１は、取引の代金が入金されたことを電子メール等で購入者端末２に通知する（図４のステップＳ４６）。この通知には、入金した第１の電子マネーの量や、送金先等が含まれていてもよい。これにより、購入者２０は購入者端末２による操作によって、支払ができたことを確認することができる。
【００５４】
一方、照合によって購入者２０と支払額との少なくとも一方が不一致である場合、入金額など手続き内容に誤りがある場合に限り、購入者２０が利用した第１電子マネーサーバ４を介して、購入者端末２に送金金額の訂正と、再送金の手続きを促す通知を行うようにしてもよい。さらに、購入者端末２に通知された手続に対応する送金金額の訂正と、再送金が行われないときや、再送金ができない問題があるとき、取引の中止を通知するようにしてもよい。
【００５５】
図５は、取引の第３段階として、販売者３０が購入者２０に商品を発送し、購入者２０が商品を受け取ったことを登録するまでを示すシーケンス図である。
購入者２０による支払が確認できると、エスクローサービスサーバ１は、販売者端末３に対して、購入者２０からの入金が済んだことを示す入金完了通知、及び、商品の出荷を指示する出荷指示を電子メール等で通知する（図５のステップＳ５１）。
【００５６】
出荷指示が通知されると、販売者３０は、商品を購入者２０宛に出荷する（図５のステップＳ５２）。また、配送管理サーバ８は、配送業者が販売者３０から商品を集荷してから、配送業者が購入者２０へ商品を引き渡すまでの間における商品の配送状況を把握するとともに、管理している。配送状況は、商品を引き受けた引受情報、商品を引き渡した引渡情報等である。配送管理サーバ８は、商品の配送状況を、エスクローサービスサーバ１、販売者端末３、及び購入者端末２に通知可能な関係を構築する、すなわち配送状況連携を行う（図５のステップＳ５３−１，Ｓ５３−２，Ｓ５３−３）。配送状況連携によって、配送業者と販売者３０や購入者２０との間の引受情報や引渡情報等が配送管理サーバ８と、エスクローサービスサーバ１、販売者端末３、及び購入者端末２との間で連携され、共有される。
【００５７】
購入者２０には、配送業者の商品引き渡しによって商品が到着する。また、購入者端末２は、配送管理サーバ８からの通知によって、商品到着に係る処理を行う（図５のステップＳ５４）。商品到着に係る処理は、商品受取完了の登録であり、詳しくは、到着した商品の状態確認と受取確認の通知とを含む処理である。購入者端末２では、購入者２０が商品受取を確認すると、購入者２０が商品受取の登録をするためにＥＳＡｐｐ９を操作し（図５のステップＳ５５）、ＥＳＡｐｐ９に対して商品受取情報の登録処理が行われる（図５のステップＳ５６）。ＥＳＡｐｐ９は、登録処理された商品受取情報をエスクローサービスサーバ１に受取情報として通知して、通知した受取情報を登録させる（図５のステップＳ５７）。
【００５８】
一方、エスクローサービスサーバ１は、代金受取処理部１２から販売者端末３に入金が完了した通知や出荷通知を行ってから、数日から１週間など所定期間経過しても、当該商品に対して配送管理サーバ８から出荷情報が得られないとき、所定の返金条件の下、第１の電子マネーを購入者２０に返金してもよい。なお、返金される電子マネーの価値は、第１の口座４１に入金が完了した第１の電子マネーと同じ量や価値であってもよいし、入金された量等から所定の手数料等が減じられてもよいし、時価換算等が行われたものであってもよい。所定期間は、数日から１週間、又は商品の発売日や入荷日までの期間等を設定することができてよい。また、所定期間は、変更回数や延長期間が限定されることも含めて、販売者３０が先延ばしできるようになっていてもよい。所定の返金条件は、エスクローサービスサーバ１からの出荷を督促した回数や、取引サイトサーバ１０による状況確認の結果や、購入者２０の承諾等のうちから必要なものを含んでよい。
【００５９】
また一方、代金受渡処理部１４は、販売者３０が商品を出荷した後、購入者端末２から商品受取通知が受領できないとき、配送管理サーバ８からの配達情報に含まれる引渡情報に基づいて商品の受取が確認されてから所定期間経過後、所定の支払条件の下、支払い相当額に対応する量の第２の電子マネーを販売者３０に送金してもよい。所定期間は、商品の状態確認に要する期間であって、例えば、数日程度が設定されたり、モニター期間として１〜２週間など長めの期間が設定されてもよい。所定の支払条件は、エスクローサービスサーバ１からの受取確認を督促した回数であったり、取引サイトサーバ１０による状況確認の結果であったり、販売者３０による申立や、強制支払の承諾等のうちから必要なものを含んでよい。
【００６０】
図６は、取引の第４段階として、販売者３０が任意の電子マネーサービスで代金の受取を行い、取引手続きが完了するまで（代金受渡処理工程）のシーケンス図である。
購入者２０からの商品受取通知の受領に対応する受取情報が登録されると、エスクローサービスサーバ１は、購入者２０から一時的に預かっていた（委託されていた）第１の電子マネーによる商品の購入代金を、第２の電子マネーで販売者３０に支払う指示を行う（図６のステップＳ６１）。このとき、エスクローサービスサーバ１は、代金受渡処理部１４で支払い相当額に対応する量の第２の電子マネーを算出する。なお、支払い相当額は、商品の販売価格であってもよいし、商品の販売価格からエスクローサービスの利用料を減じた額であってもよいし、その他税金や立替金等を控除した額であってもよい。入金時には商品の販売価格に対応する量の第１の電子マネーが支払われていることから、算出された第２の電子マネーの量は、購入者２０から第１の口座４１に入金された第１の電子マネーのうちから支出可能である。
【００６１】
支払指示に応じて、代金受渡処理部１４は、第２の口座６１から販売者３０の販売者口座７へ支払い相当額に対応する量の第２の電子マネーを送金する（図６のステップＳ６２）。販売者口座７へ電子マネーが入金されると、入金に関する情報を含む入金通知が販売者口座７から販売者端末３へ通知される（図６のステップＳ６３）。なお、詳しくは、入金通知としては、第２電子マネーサーバ６から販売者端末３へ販売者口座７の情報が通知される。また、代金受渡処理部１４（エスクローサービスサーバ１）には、第２の口座６１から販売者口座７への電子マネーの送金が完了したことを示す送金完了通知が第２電子マネーサーバ６の第２の口座６１に対応する機能から通知される（ステップＳ６２１）。これにより、エスクローサービスサーバ１は、電子マネーの送金が完了したことを確認する。
【００６２】
販売者端末３は、入金通知に基づいて商品の代金受取処理を行う（図６のステップＳ６４）。代金受取処理は、例えば、販売価格と入金額との照合処理等である。代金受取処理が済むと、販売者端末３は、エスクローサービスサーバ１に代金受取情報を通知する（図６のステップＳ６５）。
【００６３】
第２電子マネーサーバ６からの送金完了通知や、販売者端末３からの代金受取情報の登録通知に基づいて、エスクローサービスサーバ１は、支払情報の登録処理を行う（図６のステップＳ６７）。そして、支払情報の登録処理では、エスクローサービスサーバ１は、取引情報保持部１７に保持されている取引情報１０１について、取引の完了を登録し、その取引に関する処理を完了する。また、エスクローサービスサーバ１は、支払完了通知を電子メール等で購入者２０に通知する（図６のステップＳ６８）。支払完了通知は、販売者３０によって代金受取りが完了したことや、販売に係る手続きが完了したことを含んでいてもよい。
【００６４】
（口座残高管理処理）
本実施形態では、エスクローサービスサーバ１は上述の口座管理部１６を備えている。
口座管理部１６は、第１の口座４１の残高、及び、第２の口座６１の残高を把握しながら管理し、調整する。例えば、口座管理部１６は、第１の口座４１には、第１の口座４１に対応する電子マネー残高の上限値と下限値とを有しているとともに、第２の口座６１には、第２の口座６１に対応する電子マネー残高の上限値と下限値を有している。第１の口座４１の電子マネーと、第２の口座６１の電子マネーとは、その流通量の相違等から需要が相違することが考えられるので、需要に応じた上限値と下限値とがそれぞれ設定されることが好ましい。
【００６５】
口座管理部１６は、第１の口座４１の電子マネーの残高が、設定された上限値と下限値との間にあるように調整する。例えば、口座管理部１６は、第１の口座４１の残高が、設定された上限値を上回った場合、当該口座から電子マネーを払い出すこと、及び、残高が下限値を下回った場合、当該口座に電子マネーを補充することの少なくとも一方の処理を行う。また、口座管理部１６は、第１の口座４１の電子マネーの残高の調整と同様に、第２の口座６１の電子マネーの残高の調整を行う。
【００６６】
口座の残高が上限値や下限値に到達したことに応じて、個々の取引で決済される金額よりも大きな金額を払い出したり、補充したりすることにより電子マネーの換金や購入の回数が減る。このため、電子マネーの換金や購入にかかる手間が減るとともに、換金や購入の際、金融機関や電子マネー管理団体等に支払う手数料の支出を減らすことができるようになる。
【００６７】
なお、エスクローサービスサーバ１では、取引が終了すれば、第１の口座４１の残高（価値）と、第２の口座６１の残高（価値）との総計は、取引前と同じになる。つまり、エスクローサービスサーバ１では、各口座の総残高は変化しない。また、電子マネーの口座を３つ以上所有する場合、各口座の残高の比率が当初の比率から変動することはあるが、全口座の総残高（総価値）は変化しない。よって、各口座の残高の調整を各口座間で行うことができる。また、３つ以上の口座の扱える電子マネーの種類が相違すれば、エスクローサービスサーバ１が仲介することのできる電子マネーの種類の組み合わせも増加するようになる。
【００６８】
例えば、口座管理部１６は、払い出しによって口座の残高の増加を抑える調整を行うとき、払い出した電子マネーの量に相当する価値の全部又は一部を、払い出した電子マネーとは相違する種類の他の電子マネーの口座に補充する。また、補充対象とする他の電子マネーの口座が複数あるとき、複数の他の口座のうち、当該口座に設定された上限値又は下限値に対する充足率が低い残高である口座を選択して、この選択した口座に対して補充するようにすることができる。これにより、口座の残高が過剰になるおそれが低減されるようになる。
【００６９】
また、例えば、口座管理部１６は、補充によって口座の残高の減少を抑える調整を行うとき、補充に必要な電子マネーを、補充が必要な電子マネーとは相違する種類の電子マネーの口座である他の口座から払い出して補充する。また、払い出し対象とする他の電子マネーの口座が複数有るとき、複数の他の口座のうち、当該口座に設定された上限値又は下限値に対する充足率が高い残高である他の口座を選択して、この口座から払い出した電子マネーの送金により、補充対象の口座の残高を補充する。これにより、口座の残高が不足するおそれが低減されるようになる。
【００７０】
本実施形態によれば、以下のような効果を得ることができる。
（１）販売者３０と購入者２０との間で相違する種類の電子マネーが決済に利用されたとしても、それら相違する電子マネーの間でエスクロー決済を行うことができる。これにより、エスクロー決済における電子マネーの利便性を高めることができる。
【００７１】
（２）購入者端末２に、送金に必要な情報が通知されることから購入者２０による適正な量の電子マネーの支払いが容易になる。また、入金された電子マネーの量が適正であるかどうか判定されることから決済がスムーズになされるようになる。
【００７２】
（３）購入者２０が第１の電子マネーを支払った後であっても、販売者３０が商品を出荷しないとき、所定の返金条件の下、購入者２０の入金した種類の電子マネーが購入者に返金されるようになることから取引の安全性が確保される。
【００７３】
（４）購入者２０が商品受取の確認を忘れたり、受取の確認を行わなかったりするような場合であっても、販売者３０に支払い相当額に対応する電子マネーが支払われることから取引の安全性が確保される。
【００７４】
（５）第１の口座４１及び第２の口座６１の残高が払い出しや補充による調整を通じて設定された上限値と下限値との間に維持されるようになることから、第１の口座４１及び第２の口座６１に保持されている資金の量を適正な量に維持することができる。また、設定された上限値や下限値になることによって一定のまとまった額による払い出しや補充が行われることで払い出しや補充にかかる回数を減らすことができるとともに、手間や手数料を低く抑えられるようになる。
【００７５】
（６）エスクローサービスサーバ１によって管理される複数の口座内において残高の高い口座から、残高の低い口座に資金が移動されることから外部に対する入出金を減らすことができるため資金管理の利便性が高い。
【００７６】
また、上記実施形態は、以下のように変更して実施することができる。本実施形態及び以下の変更例は、技術的に矛盾しない範囲で互いに組み合わせて実施することができる。
・上記実施形態では、購入者２０が商品受取の登録をするためにＥＳＡｐｐ９を操作する場合について例示した。しかしこれに限らず、商品受取情報の登録は、購入者がブラウザ等に表示される入力フォーム（インターフェース）に書き込むことで登録されてもよい。
【００７７】
・エスクローサービスサーバ１は、購入者端末２に通知する支払の指示を、電子メール等ではなく、ＥＳＡｐｐ９を介して行うようにしてもよい。また、このとき、支払う金額（電子マネーの量）については、購入者により設定できてもよいし、支払指示に含まれる金額が設定されていてもよい。金額が設定されていれば、入金額を間違えて設定し、販売価格と入金額との間に齟齬が生じるようなことを防止することができる。
【００７８】
・エスクローサービスサーバ１は、販売者端末３に対する入金完了通知や出荷指示の通知を、電子メール等ではなく、ＥＳＡｐｐ９を介して行うようにしてもよい。
・エスクローサービスサーバ１は、購入者２０への支払完了通知を、電子メール等ではなく、ＥＳＡｐｐ９を介して行うようにしてもよい。
【００７９】
・エスクローサービスサーバ１は、口座管理部１６が設けられていなくてもよい。
・口座の残高が上限値や下限値に到達していなくても、必要に応じて適宜、個々の取引で決済される金額よりも大きな金額を払い出したり、補充したりしてもよい。これにより、電子マネーの換金や購入の回数を減らすことができて、電子マネーの換金や購入にかかる手間が減るとともに、換金や購入の際、金融機関や電子マネー管理団体等に支払う手数料の支出を減らすことができる。
【００８０】
・上記実施形態では、エスクローサービスサーバ１では、第１の電子マネーと第２の電子マネーとの２つの種類の電子マネーが支払や受取に使える場合について例示した。しかし、これに限らず、エスクローサービスサーバでは、残高の把握可能な口座が増えて、支払や受取に使える電子マネーの種類が増えてもよい。これにより、電子マネーの利便性が高められるようになる。
【００８１】
なお、エスクローサービスサーバは、複数種類の電子マネーに加えて、１又は複数の通貨、１又は複数のクレジットカード、１又は複数のデビットカード、１又は複数のプリペイドカード等の少なくとも１つ以上を決済に選択可能であってもよい。
【符号の説明】
【００８２】
１…エスクローサービスサーバ、２…購入者端末、３…販売者端末、４…第１電子マネーサーバ、５…購入者口座、６…第２電子マネーサーバ、７…販売者口座、８…配送管理サーバ、９…エスクローサービスアプリケーション（ＥＳＡｐｐ）、１０…取引サイトサーバ、１１…取引情報取得部、１２…代金受取処理部、１３…電子マネー仲介部、１４…代金受渡処理部、１５…配送監視部、１６…口座管理部、１７…取引情報保持部、２０…購入者、３０…販売者、４１…第１の口座、６１…第２の口座、１０１…取引情報、１０２…購入者情報、１０３…販売者情報、１０４…商品情報、１１０…エスクロー決済部、Ｎ…ネットワーク。
【図１】
2020144924.tif 000003
【図２】
2020144924.tif 000004
【図３】
2020144924.tif 000005
【図４】
2020144924.tif 000006
【図５】
2020144924.tif 000007
【図６】
2020144924.tif 000008